(57)【要約】   【課題】  歯科診療に用いられる診療装置内部の給水管路内の水を薬液など添加することなく殺菌するとともに、管内における細菌繁殖を防止する方法、およびこの殺菌手段を組込んだ歯科用診療装置を提供する。  【解決手段】  歯科用診療装置１００の内部に複数の電極２４からなる電極ユニット２５を収めた電解槽２１を組み込んだ構成において、この電極ユニット２５に直流電圧を印加することでｐＨが６．５〜８．０かつ残留塩素濃度が１．０〜５．０ｍｇ／Ｌの電解水を生成し、生成された電解水をデンタルチェアーユニット内部に通水することにより、装置の給水管路内部の殺菌を行う。【選択図】  図１
2013010067.tif 000002
【特許請求の範囲】
【請求項１】
歯科用診療装置の給水管路中に設置され、歯科治療用の電解水を提供する歯科用電解水生成装置であって、
複数の電極を備えた電極ユニットと、前記電極ユニットを収めた電解槽と、前記給水管路からの流水を受け入れる給水口と、生成した前記電解水を排出する吐出口と、前記電極ユニットの電極間に直流電圧を印加する電圧印加手段を備え、
前記電圧印加手段による前記電極ユニットの電極間への通電により、前記電解槽内の水をｐＨが６．５〜８．０かつ残留塩素濃度が１．０〜５．０ｍｇ／Ｌの電解水へと変性させて前記給水管路内に通水することで前記給水管路内の殺菌を行うことを特徴とする歯科用電解水生成装置。
【請求項２】
前記電解槽から吐出された前記電解水に含まれる気泡を除去する気液分離装置を設けたことを特徴とする請求項１に記載の歯科用電解水生成装置。
【請求項３】
前記電解槽と前記気液分離装置の間にフィルターを備え、前記電解槽で発生する気泡を前記フィルターにより捕捉して凝集し、前記気泡を大きく成長させてから前記フィルターを通過させ、前記気液分離装置に導入する構造として気泡を分離しやすくしたことを特徴とする請求項２に記載の歯科用電解水生成装置。
【請求項４】
前記給水管路の経路において、前記電解水の流方向が天方向から地方向へ流れるように前記給水管路が屈曲した箇所を設け、当該箇所に前記フィルターを設置することを特徴とする請求項３に記載の歯科用電解水生成装置。
【請求項５】
前記給水管路の経路において、前記電解水の流方向が地方向から天方向へ流れるように前記給水管路が屈曲した箇所を設け、当該箇所に前記フィルターを設置することを特徴とする請求項３に記載の歯科用電解水生成装置。
【請求項６】
前記フィルターのフィルター孔径が0.01〜100μmのものである請求項３から５のいずれか１項に記載の歯科用電解水生成装置。
【請求項７】
前記気液分離装置が前記電解槽よりも高い位置に設置し、前記電解槽で発生した気泡が前記気液分離装置に導かれやすくしたことを特徴とする請求項２に記載の歯科用電解水生成装置。
【請求項８】
前記気液分離装置が前記フィルターよりも高い位置に設置し、前記フィルターにより凝集されて大きく成長した気泡が前記気液分離装置に導かれやすくしたことを特徴とする請求項３から６のいずれか１項に記載の歯科用電解水生成装置。
【請求項９】
前記電解槽から前記気液分離装置までの前記給水管路内に電解水の流れを妨げる構造物を設け、気泡が凝集しやすい構造としたことを特徴とする請求項２に記載の歯科用電解水生成装置。
【請求項１０】
前記電解槽内に給水された水はおおむね水平方向に前記電解槽内を通過して吐出され、前記電解槽の吐出口は前記電解槽内部空間の上端よりも低い位置に配置されていることを特徴とする請求項１から９のいずれか１項に記載の歯科用電解水生成装置。
【請求項１１】
前記電極ユニットは、複数の前記電極が略一定間隔で並べて構成されており、前記電極間を溶液が通過するように配置されたことを特徴とする請求項１から１０のいずれか１項に記載の歯科用電解水生成装置。
【請求項１２】
前記電極ユニットの内壁面と前記電解槽との間の余剰スペースを少なくし、前記電解水中における残留塩素濃度を向上させることを特徴とする請求項１から１１のいずれか１項に記載の歯科用電解水生成装置。
【請求項１３】
前記電解槽は密閉されておらず、前記電解槽へ流入する水はそれまでかかっていた水圧をなくした状態で前記給水口から流入し、生成した前記電解水を前記給水管路内へ送り出すための送水手段を前記吐出口と前記給水管路の間に設けたことを特徴とする請求項１に記載の歯科用電解水生成装置。
【請求項１４】
請求項１から１３のいずれかに記載の歯科用電解水生成装置と、歯科用診療台と、各種インスツルメントを備えた歯科用診療装置。
【請求項１５】
歯科用診療装置において電解水を給水管路内に通水することによって殺菌する方法であって、
前記給水管路の経路中に複数の電極を備えた電極ユニットを収めた電解槽を設け、さらに前記電極ユニットの電極間に直流電圧を印加する電圧印加手段を設け、前記電圧印加手段の前記電極ユニットの電極間への通電により、前記電解槽内の水をｐＨが６．５〜８．０かつ残留塩素濃度が１．０〜５．０ｍｇ／Ｌの電解水へと変性させて前記給水管路内に通水することで前記給水管路内の殺菌を行うことを特徴とする歯科用診療装置の給水管路内を殺菌する方法。
【請求項１６】
前記電解槽から吐出された前記電解水に含まれる気泡を除去する気液分離装置を設け、前記電解槽で発生する気泡を除去した前記電解水により前記給水管路内の殺菌を行うことを特徴とする請求項１５に記載の歯科用診療装置の給水管路内を殺菌する方法。
【請求項１７】
前記電解槽と前記気液分離装置の間にフィルターを備え、前記気泡を前記フィルターにより捕捉して凝集し、前記気泡を大きく成長させてから前記フィルターを通過させる構造として前記気泡を分離しやすくしたことを特徴とする請求項１６に記載の歯科用診療装置の給水管路内を殺菌する方法。
【発明の詳細な説明】
【技術分野】
【０００１】
本発明は歯科用診療装置に用いられる電解水生成装置および当該電解水生成装置を含む歯科用診療装置に関するものである。また、本発明は歯科用診療装置の給水管路内を殺菌する方法に関するものである。
【背景技術】
【０００２】
歯科医療に用いられる診療装置は、患者が着座または横になって診療を受ける歯科用診療椅子と、この診療椅子に接続された各種インスツルメントと、患者用のうがい用機器等から構成されている。
インスツルメントとしては、例えば、歯の切削に使用するエアータービンハンドピースやマイクロエンジン、歯垢の除去を行うスケーラ、患者の口腔内を清掃する清浄水を噴射するウォータシリンジなどがある。これらのインスツルメントは、歯の切削箇所を冷却するための冷却水を噴射するための注水手段を内蔵している。冷却に使用される水は給水源から給水管路を経てこれらインスツルメントの先端から歯の治療施術箇所に向けて噴射される。
【０００３】
これらのインスツルメント使用を伴う歯科治療後は水源から供給された水がインスツルメント内および給水管路内に残留することとなるが、歯科医院の休日を挟む場合など、水が長期に滞留する場合や、夏の高温時期などに水温が高い状態で滞留する場合には、給水管路内に細菌が繁殖したりバイオフィルムが発生したりするおそれがある。
このように給水管路内に細菌が繁殖したりバイオフィルムが発生したりすると、患者の治療箇所や口内に噴射する水に雑菌等が混入するため、歯科治療患者の治療箇所に雑菌が入り込み、炎症などを引き起こす可能性がある。
【０００４】
そこで給水管路内の細菌を殺菌するため、種々の殺菌方法が提案されている。その中でも、給水管路内の水に対する殺菌効果が大きくかつコストが小さいものとして電解水を利用した技術は優れた技術と言える。
【０００５】
電解水を利用した歯科診療装置の給水管内の殺菌技術としては、例えば、特許３０２５１４６号公報に開示された技術が知られている。特許３０２５１４６号公報に開示された技術は、歯切削用のタービンハンドピースに給水する一般水道水に対して、イオン透過性隔膜で分割され、陰電極を挿入した陰極室と陽電極を挿入した陽極室との陰陽電極間に直流電圧を印加して電解槽の電解強度を可変する印加電圧可変手段を設けることにより、電解槽に流入した一般水道水を電解して陽極室から吐水する電解水を生成するものである。電解水はｐＨ２．８以下、酸化還元電位（ＯＲＰ）１０５０以上を示し、消毒、殺菌水として十分に機能するものが用いられる。特許３０２５１４６号公報の技術では電解水がｐＨ２．８以下であるので金属を腐食させるおそれがあるため長期の滞留はあまり好ましくないとされ、タービンハンドピースに給水系の流路変更を行う弁体を設け、弁体の少なくとも１流路に一般水道水を、他の流路に電解水を流し、所望によって一般水道水と電解水とを切り換える切り換え手段が付設している技術に関するものが開示されている。
【０００６】
また、例えば、特開平９−１７３３５９号公報に開示された技術は、（ａ）水に塩化物を溶解してなる電解液を電気分解せしめて、ｐＨが２．７以下で、酸化還元電位が１０００ｍＶ以上であり、且つ有効塩素が含有せしめられてなる強酸性イオン水を陽極側に生成せしめる一方、水酸基イオンに富んだ強アルカリ性イオン水を陰極側に生成せしめる強電解水生成手段を備え、強酸性イオン水を用いて給水路管内を殺菌する技術が開示されている。
【０００７】
また、他には、電解水ではなく、直接的に消毒液を組み込む技術もある。
例えば、特開２０００−５２００号公報に開示された技術は、給水源から供給された水を医療器具に導出するための給水管路に加え、次亜塩素酸ナトリウム等の薬剤を含む消毒液を貯留した消毒液タンクを備え、給水管路に切替制御弁と、消毒液タンクと給水枝管路部を接続した消毒液注入管路と、途中に開閉弁を設け消毒液タンクに接続された消毒液すすぎ管路とを設け、上記切替制御弁により、上記給水源の接続先を、上記給水枝管路部と、上記消毒液すすぎ管路とに切替接続する構造としている。
また、他には、治療が終了し、長時間治療を行わない場合、残留水を一旦排出してしまう技術もある。
【０００８】
【特許文献１】特許３０２５１４６号公報
【特許文献２】特開平９−１７３３５９号公報
【特許文献３】特開２０００−５２００号公報
【発明の開示】
【発明が解決しようとする課題】
【０００９】
しかし、上記した従来技術には以下の問題があった。
まず、特許３０２５１４６号公報および特開平９−１７３３５９号公報に開示された技術では、生成される電解水はｐＨ２．８以下またはｐＨ２．７以下と強酸性を示すものであるため、これらの電解水は高い殺菌性を発揮することが可能である。しかし、同公報中にも記載されているように酸性が強いため、金属部品を錆びさせたり樹脂部品を劣化させたりするおそれが強く、取り扱いが難しいものであった。そのためそれら公報中には、休日を挟むなど使用インターバルが長い場合には長期滞留を防止するため、一般水道水に切り替えるなどの工夫が必要であることが開示されている。しかしそれでは休日を挟むなど使用インターバルが長い場合に一般水道水により満たされた状態が続くため、給水管路内に増殖する菌の殺菌やバイオフィルム付着の防止を行うことができない。
【００１０】
次に、特開２０００−５２００号公報に開示された技術では、次亜塩素酸ナトリウム等の薬剤を含む消毒液を用いた殺菌方法が提案されており、確かに高い殺菌性を発揮することが可能であると言える。しかし、同公報中にも記載されているように次亜塩素酸は酸化力が強いため金属部品を錆びさせたり樹脂部品を劣化させたりするおそれが強く、取り扱いが難しいものであった。そのためそれら公報中には、休日を挟むなど使用インターバルが長い場合には長期滞留を防止するため、消毒液すすぎ管路に切り替えてすすぎ洗浄を行うなどの工夫が必要であることが開示されている。しかしそれでは休日を挟むなど使用インターバルが長い場合にはすすぎ水により満たされた状態が続くため、やはり給水管路内に増殖する菌の殺菌やバイオフィルム付着の防止を行うことができない。
また、これらの強酸性の電解水や、次亜塩素酸ナトリウムの薬剤溶液は人体に対しても悪影響を及ぼす危険性もあるため、溶液の使用に際しては十分に注意する必要があった。
【００１１】
本発明は上記の問題点を解消する新たな溶液の生成装置を歯科用診療装置に組み込むことで、歯科用診療装置内の給水配管系を殺菌することを目的とする。
【課題を解決するための手段】
【００１２】
上記課題を解決するために、本発明は以下の構成を備える。なお、以下に記載の構成要素は、可能な限り任意の組み合わせで採用可能である。
【００１３】
本発明の歯科用診療装置は、歯科用診療装置の給水管路中に設置され、歯科治療用の電解水を提供する歯科用電解水生成装置であって、複数の電極を備えた電極ユニットと、前記電極ユニットを収めた電解槽と、前記給水管路からの流水を受け入れる給水口と、生成した前記電解水を排出する吐出口と、前記電極ユニットの電極間に直流電圧を印加する電圧印加手段を備え、前記電圧印加手段による前記電極ユニットの電極間への通電により、前記電解槽内の水をｐＨが６．５〜８．０かつ残留塩素濃度が１．０〜５．０ｍｇ／Ｌの電解水へと変性させて前記給水管路内に通水することで前記給水管路内の殺菌を行うことを特徴とする歯科用電解水生成装置である。
【００１４】
このように比較的に弱酸性または中性の電解水を用いつつ残留塩素濃度を１．０〜５．０ｍｇ／Ｌ程度確保せしめることにより、給水管路内の殺菌を行うことができる。なお、このｐＨ範囲および塩素残留濃度であれば、休日を挟んで電解水がインスツルメント内に長期滞留する場合であっても、装置内の金属を錆びさせたり樹脂部材を劣化させたりするおそれがない。
【００１５】
次に、本発明の歯科用診療装置では、電解水生成時に発生する微小気泡を除去する仕組みも備えることが可能である。電解水生成時に発生する微小気泡は陰極からは塩素、陽極からは水素であり、これらは絶縁体であるため多量に発生すると電解水生成の妨げともなる。また、インスツルメントの噴射圧力に影響を与えることがあり、また、口腔内に発射されることで患者にとっても塩素や水素が微量であれ飲み込むことは好ましくない。そこで、本発明の歯科用診療装置では、電解槽から吐出された電解水に含まれる気泡を除去する気液分離装置を設ける構成が可能である。
【００１６】
なお、気液分離装置に配置については、気液分離装置を電解槽よりも高い位置に設置し、電解槽で発生した気泡が気液分離装置に導かれやすくすることが好ましい。気液分離装置は装置内部の空気だまりに対して気泡が合わさる形で気体が回収されるため、気液分離装置が電解槽よりも高い位置に設置すると気泡が気液分離装置に導かれやすくなる。
【００１７】
次に、微小気泡の除去性能を高めるため、前記電解槽と前記気液分離装置の間にフィルターを備え、前記電解槽で発生する気泡を前記フィルターにより捕捉して凝集し、前記気泡を大きく成長させてから前記フィルターを通過させ、前記気液分離装置に導入する構造として気泡を分離しやすくすることが好ましい。
微小気泡はなかなか気泡が破裂せずに長時間漂うおそれがあるが、フィルターを電解槽と気液分離装置の間に設けることでフィルターにより微小気泡を捉まえて気泡を大きく成長させてからフィルターを通過させ、気液分離装置に導くと、気液分離装置内で大きい気泡は破裂して気体が液中から分離されやすくなる。
なお、電気分解により発生する微細気泡の直径は数10μm〜200μmであることから、上記構成において、この大きさの微細気泡をフィルターにより捉まえるためには、フィルター孔径が0.01〜100μm以下、望ましくは0.01〜10μm以下のものが好ましい。
【００１８】
ここで、フィルターにより微小気泡を捉まえやすくするために、前記給水管路の経路において、前記電解水の流方向が天方向から地方向へ流れるように前記給水管路が屈曲した箇所を設け、当該箇所に前記フィルターを設置することが好ましい。このように電解水の流方向が天方向から地方向へ流れる箇所においてフィルターを通過させることにより電解水の流れに沿って移動する微小気泡が浮力によりフィルター内に滞りやすくなり、フィルター内で大きな気泡に成長しやすくなる。
【００１９】
なお、給水管路の経路およびフィルターの配置として、電解水の流方向が地方向から天方向へ流れるように給水管路が屈曲した箇所を設けて当該箇所に前記フィルターを設置することを除外するものではない。このような配置であってもフィルターを設けない場合に比べて微小気泡が大きく成長する効果は得られるからである。
【００２０】
ここで、気液分離装置はフィルターよりも高い位置に設置することが好ましい。気液分離装置がフィルターより高い位置にあればフィルターにより凝集されて大きく成長した気泡がフィルターを抜け出た後、気液分離装置に導かれやすくなるからである。
【００２１】
次に、上記のフィルター配置の工夫に代えて、電解槽から気液分離装置までの給水管路内に電解水の流れを妨げる構造物を設け、気泡が凝集しやすい構造とする工夫も可能である。このように給水管路内に電解水の流れを妨げるように設けた構造物は一時的に微小空気が滞留し、フィルターのように微小空気が凝集して成長する効果が得られる場合がある。
【００２２】
次に、微小空気の給水管路内への流入自体を小さく抑える工夫として、前記電解槽内に給水された水はおおむね水平方向に前記電解槽内を通過して吐出され、前記電解槽の吐出口は前記電解槽内部空間の上端よりも低い位置に配置するという工夫がある。このように電解槽の吐出口を内部空間の上端よりも低い位置に配置すれば微小空気は浮力で上昇するため電解槽の上部に集まり、微小空気は電解槽の吐出口から排出されにくくなる。
【００２３】
次に、上記構成における電源ユニットに関する工夫について述べる。
電源ユニット内には電極ユニットが設けられているが、電極ユニットは、複数の電極が略一定間隔で並べて構成されており、電極間を溶液が通過するように配置されたものとなっている。
電源ユニットを小型化するため、また生成される電解水の残留塩素濃度を向上させるため、電極ユニットの内壁面と電解槽との間の余剰スペースを少なくすることが好ましい。
【発明の効果】
【００２４】
本発明の歯科用診療装置および歯科用診療装置の給水管路内を殺菌する方法によれば、比較的に弱酸性または中性の電解水を用いつつ残留塩素濃度を１．０〜５．０ｍｇ／Ｌ程度確保せしめることにより、給水管路内の殺菌を行うことができる。なお、このｐＨ範囲および塩素残留濃度であれば、休日を挟んで電解水がインスツルメント内に長期滞留する場合であっても、装置内の金属を錆びさせたり樹脂部材を劣化させたりするおそれがない。本発明の歯科用診療装置では、電解槽と給水分岐部との間に気液分離装置を設けることにより、電解水生成時に発生する微小気泡を効率的に除去することができる。
【発明を実施するための最良の形態】
【００２５】
以下、図面を参照しつつ、本発明の電解水生成装置、歯科用診療装置、歯科用診療装置の給水管路内を殺菌する方法の実施例を説明する。ただし、本発明の範囲は以下の実施例に示したものに限定されるものではないことは言うまでもない。
【実施例１】
【００２６】
実施例１にかかる本発明の歯科用診療装置１００の構成例について説明する。以下、本発明の最良の形態について図面に基づき説明する。
図１は、本発明の歯科用診療装置１００の構成を簡単に示す図である。
図１に示すように、実施例１にかかる本発明の歯科用診療装置１００は、診療台本体１０、給水口１１、インスツルメント１２、うがい用機器１３、電解水生成装置２０、電圧印加装置３０などを備えた構成となっている。
歯科用診療装置１００は、給水源（図示せず）に接続され、給水管路Ｗを通じて水が供給され、水を必要とする各部分に給水される。ここでは、後述する歯科用診療装置１００の電解槽２１への給水側はＷ１、吐出側はＷ２で表わすこととする。
【００２７】
各部を説明する。
診療台本体１０は、特に限定されず、歯科用診療台本体であればいずれでも適用することができる。この例では電動式で背もたれやフットレストの角度が変わり、患者の座位、仰臥位のいずれの姿勢にも対応するようになっている。
給水口１１は、給水源からの給水管路Ｗ１に接続される口であり、給水口１１から給水源の水が供給される。なお、給水源は一般の水道源でも良い。
インスツルメント１２は、特に限定されず、歯科用診療に用いられる各種歯科治療器具である。たとえば、歯牙切削用のインスツルメントで治療箇所を冷やすため水を噴射するものとする。
うがい用機器１３は、患者が折に触れて口腔内をうがいするための水をコップなどに供給する給水管と、患者がうがい後の水を捨てるボウルなどを備えている。
【００２８】
電解水生成装置２０は、給水口１１を介して給水管路Ｗ１から取り入れた水を電解水へと変性させたのち給水管路Ｗ２へ通水する装置である。
電解水生成装置２０は、後述する図４および図５に示すように、電解槽２１、電圧印加装置３０に加え、フィルター４０、気液分離装置５０を備えた構成となっている。
【００２９】
まず、電解槽２１の内部構成例を説明する。
図２は電解槽２１の内部構成例を示した図である。図２に示すように、電解水生成装置２０は、電解槽２１、給水口２２、吐出口２３、電極２４、電極ユニット２５、通電用端子２６を備えた構造となっている。
【００３０】
電解槽２１は、電極ユニット２５を内蔵する容器であり、内部には給水管路Ｗ１から導入された水で満たされ、後述するように生成された電解水が給水管路Ｗ２から吐出される。
電解水は電解槽２１内にある水を電気分解することで生成される。歯科用診療装置１００内部に納められた電解槽２１は図１に示すように歯科用診療装置給水源の下流側に取り付けられ、この電解槽２１内で生成された電解水が給水分岐部を経て、各インスツルメント１２やうがい用機器１３など、歯科用診療装置１００において水を必要とする全ての部分へ供給される。
【００３１】
給水口２２は、給水管路Ｗ１から電解槽２１に水を取り入れる口である。図２の例では筐体の下方に設けられている。
【００３２】
吐出口２３は、電解槽２１から生成した電解水を給水管路Ｗ２へ通水する口である。図２の例では筐体の上方に設けられている。
【００３３】
電極２４は、導電性の良い金属板であれば良く、例えば、銅電極板，銀合金電極板、銅銀合金電極板などがある。他の金属板であっても電極として機能するものであれば良い。
【００３４】
電極ユニット２５は、電極２４を複数枚集積したものであり、各電極２４が略一定間隔を持って対向し合うように並べて配置される。電極２４間を溶液が通過するように配置されている。図２の例では便宜上、電極２４を３枚含んだ構成として描いている。
電極ユニット２５は電解槽２１の中に収納されているが、後述の実験で触れるように、電源ユニット２５と電解槽２１との間の余剰スペースを少なくし、残留塩素濃度を向上させる工夫を行うことが好ましい。
【００３５】
通電用端子２６は、各々の電極２４に対して電位を与える端子である。通電用端子２６は電圧印加装置３０に接続され、所定の電位が各々の電極２４に対して与えられるように電気的に配線されている。なお、後述する電圧印加装置３０との接続が簡単になるように配線しておくことが好ましい。
【００３６】
次に、電解水生成装置２０において電解水を生成する原理について説明する。
図３は、本発明の電解水生成装置２０における電気分解における化学反応および電解水の変性を簡単に説明する図である。
通電用端子２６に先の端子を通じて直流電圧を電極間に印加した場合、電解槽内の水を電気分解して殺菌性を持った電解水に変性させる。
【００３７】
原水に用いる水には、一般水道水には塩素イオン(Cl−)が必ず含まれており、電極２４間に直流電圧を印加すると、塩素イオン(Cl−)は陽極側の電極２４へ引き寄せられる。電極２４表面では図４に示す化学変化が行われ、塩素ガス(Cl2)が発生することになるが、Cl2はすぐに周囲の水と反応し、殺菌性を有した次亜塩素酸(HClO)や次亜塩素酸イオン(ClO−)へと変化する。
いわゆる残留塩素と呼ばれるこれらのHClOやClO−を増やす上記の化学変化を行うことで、水自体の殺菌性を高めた電解水へ変性を行っている。
【００３８】
本発明の電解水生成装置２０において、上記のように生成される電解水の性質について述べておく。
まず、残留塩素濃度とｐＨについてまとめておく。
電圧印加装置３０による電極ユニット２５の電極２４間への通電により、電解槽２１内の水はｐＨが６．５〜８．０かつ残留塩素濃度が１．０〜５．０ｍｇ／Ｌの電解水へと変性する。後述するように、このｐＨが６．５〜８．０、残留塩素濃度が１．０〜５．０ｍｇ／Ｌの電解水を給水管路Ｗ２内に通水することで給水管路Ｗ内の殺菌を行うことができる。また、この程度のｐＨであれば給水管路内の金属部品を錆びさせたり樹脂部品を劣化させたりする不具合は発生しない。
なお、本発明の電解水生成装置２０および歯科用診療装置１００を用いて生成した電解水の性質などの測定値に関しては後述する。
【００３９】
次に、電解水生成装置２０の内部構成について述べる。
図４および図５は、本発明の歯科用診療装置１００の構成における電解水生成装置２０を取り出してその内部構造を簡単に示した図である。なお、図４および図５では各構成要素は簡単に描いており、また、電解水生成装置２０内に設けられた給水管路Ｗ１、給水管路Ｗ２のなどについては一部図示を省略し、水の流れを示すにとどめている。
図４および図５に示すように、電解水生成装置２０は、電解槽２１、電圧印加装置３０に加え、フィルター４０、気液分離装置５０を備えた構成となっている。
【００４０】
図４は給水管路Ｗ２の流れが天方向から地方向となっている箇所においてフィルター４０を設けた構成例を示している。
一方、図５は給水管路Ｗ２の流れが地方向から天方向となっている箇所においてフィルター４０を設けた構成例を示している。
【００４１】
まず、電圧印加装置３０を説明する。
電圧印加装置３０は、各々の電極２４に設けられている通電用端子２６に対して所定の電位を与える電気ユニットである。なお、電圧印加装置３０は外部電源（図示しない）に接続され、電力供給がなされる。後述するように電気分解に用いる電圧は直流電圧であるため、外部電源として商用電源を用いる場合、ＡＣ／ＤＣコンバーターが必要である。
【００４２】
次に、気液分離装置５０について説明する。
本発明の歯科用診療装置１００では、電解水生成装置２０内で電解水を生成する際に気泡が発生するため、気泡を除去する構成要素を設けておく工夫を施している。一般水道水などの原水中にはCl−以外にも水素イオン(H＋)や水酸化イオン(OH−)が含まれている。ここで電極２４間に直流電圧を印加すると、これらの物質も変化を受け、それぞれ水素ガス(H2)や酸素ガス(O2)が生成される。
【００４３】
電気分解により発生する気泡は電極間に残っていると、残留塩素を増やすための電気分解反応を阻害することとなるので、電極２４間にて発生した微細な気泡はなるべく早く電極２４間から出したほうがよい。たとえば電極２４をおおむね鉛直方向に吊るして各々が対向するように並べ、その電極２４間を水で満たし、電解槽２１の給水口２２を電極ユニット２５の下側に、電解槽２１の吐出口２３を電極ユニット２５の上側にして、電極２４間にて発生した気泡を気泡自体の浮力も利用しつつ水流で押し出すようにする。
【００４４】
しかし、本発明では、生成する電解水は後述するように弱酸性または中性程度であり、印加電圧は一般の電気分解に用いる電圧よりも比較的低いため、電極２４表面で発生する水素ガスや酸素ガスは微小気泡である。微小気泡は浮力が小さいために上方に排出されにくく、液中に長期間に漂いやすい。
【００４５】
従来技術の電解水生成装置で微小気泡が発生してしまうと、気液分離装置を備えていないため、気液分離が不十分で気泡が除去しきれずに気泡は水流に乗って流れてゆき、水流の弱い管路中の屈曲部分などに気泡が溜まり給水管路Ｗ２中にガスだまりを作ってしまうおそれがあった。ガスは液体よりも圧縮されやすいため、ガスは給水配管中を流れている状態では水道圧により圧縮されて電解水中に微小気泡として存在しているが、インスツルメントやうがい用機器などの末端に到達すると、圧が開放されるためガスが膨張してしまうため不具合の原因となるおそれがあった。特に、生成される電解水の殺菌性を高めるために、電解時の電流値を大きくすれば電気分解により発生する気泡の量も多くなってしまうため、微小気泡による上記問題が顕在化しやすい。
【００４６】
そこで、本発明では、この発生した微小気泡を給水配管中から除去するため気液分離に関する工夫を行っている。本発明の電解水生成装置２０および歯科用診療装置１００において、気液分離装置５０を電解槽２１の下流側に設ける構造とし、さらに給水管路を屈曲させて屈曲箇所にフィルター４０を設ける工夫を行っている。
【００４７】
まず、気液分離装置５０の構造について説明する。
図６は、気液分離装置５０の構成例を示す図である。図６に示す構成例では、気液分離装置５０の内部にはガス排出口５３が設けられており、通常はパッキン５１がバネ等で押し当てられて閉じられている。この気液分離装置５０内部にガスが溜まってくると、気液分離装置５０内の水位が下がり、それに伴い内部のフロート５２も下がる。その際、フロート５２はガス排出口５３に押し付けられているパッキン５１を離してガス排出口５３を開放、気液分離装置５０内部に溜まったガスを放出する。このような構造をとっている関係上、水中のガスを除去するためには水中のガスを気液分離装置内に溜めることが重要となる。
【００４８】
ここで、気液分離装置５０において効率よく気液分離を行うためには、電解水中の気泡が効率よく気液分離装置５０内に導入される必要がある。そこで、図４および図５の構成例では、気液分離装置５０が電解槽２１よりも高い位置に設置し、電解槽２１で発生した気泡が気液分離装置５０に導かれやすい構成としている。また、気液分離装置５０がフィルター４０の排出口よりも高い位置に設置し、フィルター４０により凝集されて大きく成長した気泡が気液分離装置５０に導かれやすい構成としている。
【００４９】
次に、フィルター４０の働きについて述べる。
この構成例では図４および図５に示すように、電解槽２１と気液分離装置５０の間にフィルター４０を備えた構成となっている。
上記のように、電気分解により発生する水素ガスや酸素ガスの微小気泡は水流に乗って流れていくこととなるが、小さいまま浮遊を続けやすく、末端の歯科用診療装置のインスツルメントなどの機器まで到達すると、機器内部において不具合を起こしてしまう。それを避けるため、電解槽以降の下流側において気液分離装置５０を設け、水中の気泡を除去している。しかし、微小気泡はその体積が小さいため浮力が少なく、そのため大部分が気液分離装置５０に到達することができずに素通りして、水流とともに歯科用診療装置１００の下流側へ流れていってしまう。また気液分離装置５０に到達したとしても、気液分離装置５０の中でも気泡がなかなか破裂せずに微小気泡のまま漂い続け、気液分離に時間がかかるおそれがある。つまり、単に下流側へ気液分離装置５０を取り付けるだけでは不十分である。
【００５０】
このように、一般に普及している気液分離装置５０により電気分解で発生した気泡が除去しきれない原因は、気泡の大きさが微細であり浮力が小さいためであった。この課題を解消するため、本発明では、電気分解によって発生した微細な気泡を集めて凝集・成長させ、大きな気泡とすることにより、気液分離装置５０による気泡除去を容易とせしめた。
【００５１】
フィルター４０を活用した微小気泡の成長機能について述べる。
本発明の電解水生成装置２０および歯科用診療装置１００では、フィルター４０を用いることにより微小気泡を一時的にフィルター４０内の孔に捕捉し、その孔に到達する他の微小気泡と隣接させ、気泡同士を合体させることにより成長させてゆく。図４および図５に示すように、微小気泡は自らの浮力と給水管路内の水の流れによって徐々にフィルター４０を通過してゆくが、フィルター４０内の孔から孔へと移動してゆくうち他の気泡と合わさることとなり、フィルター４０を抜け出る頃には気液分離装置５０により効率的に気液分離できる程度の大きさの気泡に成長するという効果が得られる。つまり、電解槽の下流側にフィルター４０を設置することにより、このフィルター４０内部を電解槽２１内部で生成された電解水が通過する際、電気分解により発生した微細な気泡はフィルターの細かな目により流れを阻害され、乱れた動きをとることとなり、気泡同士が接触することでより大きな気泡になる。
【００５２】
このように、電解槽２１で発生する気泡をフィルター４０により捕捉して凝集し、気泡を大きく成長させてからフィルター４０を通過させ、気液分離装置５０に導入する構造として気泡を分離しやすくした。
なお、フィルター４０のフィルター孔径としてはたとえば１０μｍ以下のものが好ましい。フィルター孔径が大きいと後述するように、微細なスケール片を捕捉したり微小気泡を捉えて成長させたりすることができなくなるため、目の細かいフィルター４０を使用することが好ましい。
【００５３】
次に、フィルター４０の配置について述べる。
この構成例では、フィルター４０は、電解槽２１から気液分離装置５０の間に設けられている。また、気液分離装置５０は内部にガスを貯めることで水中に含まれる気泡の除去を行っている関係上、気液分離装置５０は他の機器や歯科用診療装置内部の給水系配管よりも高い位置にあることが望ましい。
【００５４】
ここで、図４の例では、給水管路Ｗ２の経路において、電解水の流方向が天方向から地方向へ流れるように給水管路が屈曲した箇所を設けられており、この屈曲し、流方向が天方向から地方向へ向かう箇所にフィルター４０を設置する構成となっている。図４の構成例では微小気泡は、微小気泡自身の浮力により下方への移動に対する抵抗を持っているため、電解水の流れに乗ってゆっくりとフィルター４０内を移動することとなる。その過程で前後左右にある他の微小気泡と合体を繰り返して次第に大きな気泡へと成長してゆくこととなる。
つまり、図４に示したように、電解水が通過するフィルター内部や給水管路において、浮力と対抗する“天→地”方向へ流れるようにすれば、微細な気泡の凝集効果はより高まる。
【００５５】
一方、図５の例では、給水管路Ｗ２の経路において、電解水の流方向が地方向から天方向へ流れるように給水管路が屈曲した箇所を設けられており、この屈曲し、流方向が地方向から天方向へ向かう箇所にフィルター４０を設置する構成となっている。図５の構成例では微小気泡は、微小気泡自身の浮力により上方へ昇っていきやすく、また、電解水の流れに乗ってゆっくりとフィルター４０内を移動することとなる。その過程で前後左右にある他の微小気泡と合体を繰り返して次第に大きな気泡へと成長してゆくこととなる。
【００５６】
これらの凝集効果により、微細な気泡を大きな気泡に成長させることができれば、フィルターの下流側に設けた気液分離装置５０で電気分解により発生した気泡を除去することが可能となる。
【００５７】
次に、フィルター４０を用いる他の効果として、給水管路内の硬質分（スケール）の剥離片の捕捉機能が挙げられる。原水中にはカルシウムイオン(Ca2＋)やマグネシウムイオン(Mg3＋)などといった硬質成分が含まれている。これらの硬質成分は電気分解を行うと、図３Ａに示すような変性を受け、電極２４表面に付着していく。電気分解の類型時間が増えるほど、硬質分の電極への付着量は増えていき、残留塩素を増やすための電気分解反応を阻害することとなるため、電極２４に付着した硬質分は除去する必要がある。その手段として、図３Ｂに示すように電極２４に印加している極性を反転させ、付着した硬質分を除去する方法が一般的に用いられている。ただし、電極２４に付着している硬質分の量が多い時に極性切り替えを行った場合、大きな塊として電極２４から硬質分が剥がれる恐れがある。この硬質分の塊が歯科用診療装置の末端の各インスツルメント１２まで到達すると、精密機器である各インスツルメント１２内部にて不具合を起こしてしまう。
そこで、電極２４から剥がれ落ちた硬質分の除去のため、フィルター４０を電解槽２１の下流側に設けておけばスケールの剥離片をフィルター４０にて捕捉することができる。
【００５８】
フィルター４０は硬質分除去を目的とするほか、前記のように気泡凝縮の効果も求める関係上、フィルター４０はなるべく目が細かいほうが適している。たとえばフィルター４０のフィルター孔径としては０．０１〜１００μｍ程度のものとすれば、管路内で発生する微細なスケール片を捕捉したり微小気泡を捉えて成長させたりすることができる。
なお、軟水器等によりあらかじめ硬質分を除去した水を電解槽２１へ供給することにより、電極２４へ硬質分が付着しなくすることも効果的である。
【００５９】
次に、生成された電解水の特性を測定した結果を示す。
原水として水道水を用い、電解水生成装置２０を用いて電解水を生成して一定流速で通水した場合における電解水の特性を調べた。
図７に、電気分解する時間の長さと電気分解に供する電流量を変化させ、生成される電解水の物理的性質を調べた結果をまとめた。電気分解する時間の長さの変化は、電解水生成装置２０内部の流量の変化で置き換えることができる。つまり、図７に示すように、装置内の流速の変化、電圧印加装置３０から与える電流量を変化させた場合における、電解水のｐＨ、導電率、溶存酸素量、残留塩素濃度の測定結果をまとめた。
なお、電解装置を１度だけ通して電解した時に生成される電解水について測定を行い、その結果を元に電極の性能比較を行った。なお、実験に用いた電極は小型の新規のものを使用し、枚数や加える電流を変化させた。また、電極ユニットと電解槽との空きスペースはなるべく塩ビ材で埋めることにより小さくした。
【００６０】
図７に示すように、ｐＨに関しては、原水として水道水そのままを使用しているため、ｐＨはもとの原水とほとんど変わらないｐＨ７〜８付近の結果であった。また、残留塩素濃度に関しても実験に用いた電流値、電解水流量の条件範囲では０．７〜２．０ｍｇ／Ｌの範囲であった。つまり、電解水生成装置２０に用いる電流値、電解水流量の条件範囲を調整すれば、ｐＨが６．５〜８．０かつ残留塩素濃度が１．０〜５．０ｍｇ／Ｌの電解水へと変性させることが確認できた。
【００６１】
以下に、実験結果を検討した。
電気分解する時間の長さの変化に関しては、電気分解を受ける時間が長いほど、つまり、電解槽２１を通過する流速が遅い方が発生する残留塩素の量は多くなる関係にあることが分かる。
また、電極ユニットに通電する電流値が高いほど、残留塩素濃度は高くなることが分かる。図８は縦軸に残留塩素濃度、横軸に電流量をとったグラフである。明らかに電極ユニットに通電する電流値が高いほど、残留塩素濃度は高くなっている。
【００６２】
次に、溶存酸素量に関しては、図７に示すように、印加する電流値が上がると溶存酸素量が上がっている、すなわち電気分解により発生した酸素が増えていることが確認できる。水を電気分解すると生じる気泡の発生量は電極２４に印加している電流値に比例することが分かる。
【００６３】
次に、電解槽２１と電極ユニット２５の間の空間を大きく取った場合とほとんど無くした場合で生成される電解水の残留塩素濃度を比較した。図９は電解槽２１と電極ユニット２５の間の空間を大きく取った場合とほとんど無くした場合で生成される電解水の残留塩素濃度比較結果である。図９に示すように、電解槽２１と電極ユニット２５の間の空間を少なくした方が、電気分解により発生する残留塩素濃度が高くなっていることがわかる。
以上のことから、なるべく高い殺菌性を保有する電解水を生成するためには、電気分解時に印加する電流値を高くし、電解槽２１内の余剰スペースを少なくして原水が電極２４付近へ到達しやすくするとよい。
【００６４】
残留塩素も酸化性物質であるため、濃度が高まれば金属を錆びさせたり、樹脂製品を劣化させたりしてしまうが、本発明の電解水生成装置２０で生成される電解水の残留塩素濃度は、１．０〜５．０ｍｇ／Ｌ程度であり、金属を錆びさせたり、樹脂を劣化させることはない。
【００６５】
図１０に、従来から用いられている薬剤や電解水と本発明により生成される電解水の対比表を示した。従来から用いられている薬剤や電解水は比較的に高い残留塩素濃度であるため殺菌性は高いが、金属部品を錆びさせたり樹脂部品の劣化を起こさせたりするおそれがあった。一方、本発明における電解水は、残留塩素濃度は１．０〜５．０ｍｇ／Ｌと低い濃度であるので、金属部品を錆びさせたり樹脂部品の劣化を起こさせたりするおそれはない。
【００６６】
また、ｐＨ値が低く酸性が強い溶液であれば酸化性が強くなり、金属部品を錆びさせたり樹脂部品の劣化を起こさせてしまうおそれがあるが、本発明における電解水のｐＨ値は原水と同じ程度の６．５〜８．０と中性領域であり、金属部品を錆びさせたり樹脂部品の劣化を起こさせてしまうことはない。
【実施例２】
【００６７】
実施例２として、フィルターとは異なる構造物により微小気泡を処理する工夫を施した構成例について述べる。
図１１は、実施例２にかかる本発明の電解水生成装置２０および歯科用診療装置１００の構成例を簡単に示したものである。
図１１に示すように、実施例２にかかる本発明の電解水生成装置２０ではフィルター４０に代え、電解槽２１から気液分離装置５０までの給水管路Ｗ２内に電解水の流れを妨げる構造物を設け、気泡が凝集しやすい構造とした。給水管路Ｗ２中に電解水の流れを妨げて微小気泡が滞留して集まり、隣接し合う時間が長くなるように工夫することにより気泡の凝集効果が得られる。
【実施例３】
【００６８】
実施例３として、気液分離装置を用いずに微小気泡を処理する工夫を施した構成例について述べる。
図１２は、実施例３にかかる本発明の電解水生成装置２０および歯科用診療装置１００の構成例を簡単に示したものである。
図１２に示すように、実施例３にかかる本発明の電解水生成装置２０では電解槽２１は密閉されていないため、給水口２２から流入する水は電解槽２１に入る時にそれまでかかっていた水圧が無くなった状態で流入される。
流入された水は電解槽２１内で電気分解が行われるが、電気分解により発生した微細な気泡はわずかに有する浮力に従って水面へと上がっていく。電解槽２１は密閉されていないため、水面から出た微細な気泡は自然に抜け出ていくため、気液分離装置５０を設ける必要はない。
なお生成された電解水は水圧のかかっていない状態であるため、実施例１, ２のように水圧を利用して歯科用診療装置の給水管路Ｗ２へと送り出すことはできない。そのため吐出口２３と給水管路Ｗ２の間にポンプなどの送水装置６０を設けた。
また電気分解により発生した微細な気泡は浮力により自然に水中から抜け出るため、吐出口２３はなるべく電解槽２１の下部に設けることが望ましい。
【００６９】
以上、本発明の歯科用診療装置および歯科用診療装置用の歯科用診療装置の構成例における好ましい実施例を図示して説明してきたが、本発明の技術的範囲を逸脱することなく種々の変更が可能であることは理解されるであろう。
【産業上の利用可能性】
【００７０】
本発明の歯科用診療装置は、歯科用診療装置を用いる歯科用診療装置として広く適用することができる。
【図面の簡単な説明】
【００７１】
【図１】本発明の歯科用診療装置１００の構成を簡単に示す図である。
【図２】電解槽２１の内部構成例を示した図である。
【図３】本発明の電解水生成装置２０内における電気分解における化学反応および電解水の変性を簡単に説明する図である。
【図４】本発明の歯科用診療装置１００の構成における電解水生成装置２０を取り出してその内部構造を簡単に示した図である（その１）。
【図５】本発明の歯科用診療装置１００の構成における電解水生成装置２０を取り出してその内部構造を簡単に示した図である（その２）。
【図６】気液分離装置５０の構成例を示す図である。
【図７】生成された電解水の各特性値の一例を示す表である。
【図８】縦軸に残留塩素濃度、横軸に電流量をとったグラフである。
【図９】電解槽２１と電極ユニット２５の間の空間を大きく取った場合とほとんど無くした場合で生成される電解水の残留塩素濃度比較結果を示す図である。
【図１０】従来から用いられてきた薬剤や電解水との対比表である。
【図１１】実施例２にかかる本発明の電解水生成装置２０および歯科用診療装置１００の構成例を簡単に示した図である。
【図１２】実施例３にかかる本発明の電解水生成装置２０および歯科用診療装置１００の構成例を簡単に示した図である。
【符号の説明】
【００７２】
１０  診療台本体
１１  給水口
１２  インスツルメント
１３  うがい用機器
２０  電解水生成装置
２１  電解槽
２２  給水口
２３  吐出口
２４  電極
２５  電極ユニット
２６  通電用端子
２７  遮へい構造物
２８  硬質分
３０  電圧印加装置
４０  フィルター
５０  気液分離装置
５１  パッキン
５２  フロート
５３  ガス放出口
６０  送水装置
１００  歯科用診療装置
【図１】
2013010067.tif 000003
【図２】
2013010067.tif 000004
【図３】
2013010067.tif 000005
【図４】
2013010067.tif 000006
【図５】
2013010067.tif 000007
【図６】
2013010067.tif 000008
【図７】
2013010067.tif 000009
【図８】
2013010067.tif 000010
【図９】
2013010067.tif 000011
【図１０】
2013010067.tif 000012
【図１１】
2013010067.tif 000013
【図１２】
2013010067.tif 000014
【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
歯科用診療装置の給水管路中に設置され、歯科治療用の電解水を提供する歯科用電解水生成装置であって、
複数の電極を備えた電極ユニットと、前記電極ユニットを収めた電解槽と、前記給水管路からの流水を受け入れる給水口と、生成した前記電解水を排出する吐出口と、前記電極ユニットの電極間に直流電圧を印加する電圧印加手段と、前記電解槽から吐出された前記電解水に含まれる気泡を除去する気液分離装置と、前記電解槽と前記気液分離装置の間に設けた気泡凝集通過フィルターを備え、
前記気泡凝集通過フィルターは、前記電解槽で発生する微小気泡を捕捉して凝集し、前記微小気泡を大きく成長させつつ前記電解水とともに通過させるものであることを特徴とする歯科用電解水生成装置。
【請求項２】
前記給水管路の経路において、前記電解水の流方向が天方向から地方向へ流れるように前記給水管路が屈曲した箇所を設け、当該箇所に前記気泡凝集通過フィルターを設置することを特徴とする請求項１に記載の歯科用電解水生成装置。
【請求項３】
前記給水管路の経路において、前記電解水の流方向が地方向から天方向へ流れるように前記給水管路が屈曲した箇所を設け、当該箇所に前記気泡凝集通過フィルターを設置することを特徴とする請求項１に記載の歯科用電解水生成装置。
【請求項４】
前記電圧印加手段による前記電極ユニットの電極間への通電により、前記電解槽内の水をｐＨが６．５〜８．０かつ残留塩素濃度が１．０〜５．０ｍｇ／Ｌの電解水へと変性させて前記給水管路内に通水することで前記給水管路内の殺菌を行うものであることを特徴とする請求項１乃至３のいずれか１項に記載の歯科用電解水生成装置。
【請求項５】
前記気泡凝集通過フィルターのフィルター孔径が0.01〜100μmのものである請求項１乃至４のいずれか１項に記載の歯科用電解水生成装置。
【請求項６】
前記気液分離装置が前記電解槽よりも高い位置に設置し、前記電解槽で発生した気泡が前記気液分離装置に導かれやすくしたことを特徴とする請求項１乃至５のいずれか１項に記載の歯科用電解水生成装置。
【請求項７】
前記気液分離装置が前記気泡凝集通過フィルターよりも高い位置に設置し、前記気泡凝集通過フィルターにより凝集されて大きく成長した気泡が前記気液分離装置に導かれやすくしたことを特徴とする請求項１乃至６のいずれか１項に記載の歯科用電解水生成装置。
【請求項８】
前記電解槽から前記気液分離装置までの前記給水管路内に電解水の流れを妨げる構造物を設け、気泡が凝集しやすい構造としたことを特徴とする請求項１乃至７のいずれか１項に記載の歯科用電解水生成装置。
【請求項９】
前記電解槽内に給水された水はおおむね水平方向に前記電解槽内を通過して吐出され、前記電解槽の吐出口は前記電解槽内部空間の上端よりも低い位置に配置されていることを特徴とする請求項１乃至８のいずれか１項に記載の歯科用電解水生成装置。
【請求項１０】
前記電極ユニットは、複数の前記電極が略一定間隔で並べて構成されており、前記電極間を溶液が通過するように配置されたことを特徴とする請求項１乃至９のいずれか１項に記載の歯科用電解水生成装置。
【請求項１１】
前記電極ユニットの内壁面と前記電解槽との間の余剰スペースを少なくし、前記電解水中における残留塩素濃度を向上させることを特徴とする請求項１乃至１０のいずれか１項に記載の歯科用電解水生成装置。
【請求項１２】
請求項１から１１のいずれかに記載の歯科用電解水生成装置と、歯科用診療台と、各種インスツルメントを備えた歯科用診療装置。
【請求項１３】
歯科用診療装置において電解水を給水管路内に通水することによって殺菌する方法であって、
複数の電極を備えた電極ユニットと、前記電極ユニットを収めた電解槽と、前記給水管路からの流水を受け入れる給水口と、生成した前記電解水を排出する吐出口と、前記電極ユニットの電極間に直流電圧を印加する電圧印加手段と、前記電解槽から吐出された前記電解水に含まれる気泡を除去する気液分離装置を備えた歯科用電解水生成装置に対して、前記電解槽と前記気液分離装置の間に、前記電解槽で発生する微小気泡を捕捉して凝集し、前記微小気泡を大きく成長させつつ前記電解水とともに通過させる気泡凝集通過フィルターを設け、前記電解槽で発生する気泡を除去した前記電解水により前記給水管路内の殺菌を行うことを特徴とする歯科用診療装置の給水管路内を殺菌する方法。
【請求項１４】
前記電圧印加手段による前記電極ユニットの電極間への通電により、前記電解槽内の水をｐＨが６．５〜８．０かつ残留塩素濃度が１．０〜５．０ｍｇ／Ｌの電解水へと変性させて前記給水管路内に通水することで前記給水管路内の殺菌を行うものであることを特徴とする請求項１３に記載の歯科用診療装置の給水管路内を殺菌する方法。
【手続補正２】
【補正対象書類名】明細書
【補正対象項目名】全文
【補正方法】変更
【補正の内容】
【発明の詳細な説明】
【技術分野】
【０００１】
本発明は歯科用診療装置に用いられる電解水生成装置および当該電解水生成装置を含む歯科用診療装置に関するものである。また、本発明は歯科用診療装置の給水管路内を殺菌する方法に関するものである。
【背景技術】
【０００２】
歯科医療に用いられる診療装置は、患者が着座または横になって診療を受ける歯科用診療椅子と、この診療椅子に接続された各種インスツルメントと、患者用のうがい用機器等から構成されている。
インスツルメントとしては、例えば、歯の切削に使用するエアータービンハンドピースやマイクロエンジン、歯垢の除去を行うスケーラ、患者の口腔内を清掃する清浄水を噴射するウォータシリンジなどがある。これらのインスツルメントは、歯の切削箇所を冷却するための冷却水を噴射するための注水手段を内蔵している。冷却に使用される水は給水源から給水管路を経てこれらインスツルメントの先端から歯の治療施術箇所に向けて噴射される。
【０００３】
これらのインスツルメント使用を伴う歯科治療後は水源から供給された水がインスツルメント内および給水管路内に残留することとなるが、歯科医院の休日を挟む場合など、水が長期に滞留する場合や、夏の高温時期などに水温が高い状態で滞留する場合には、給水管路内に細菌が繁殖したりバイオフィルムが発生したりするおそれがある。
このように給水管路内に細菌が繁殖したりバイオフィルムが発生したりすると、患者の治療箇所や口内に噴射する水に雑菌等が混入するため、歯科治療患者の治療箇所に雑菌が入り込み、炎症などを引き起こす可能性がある。
【０００４】
そこで給水管路内の細菌を殺菌するため、種々の殺菌方法が提案されている。その中でも、給水管路内の水に対する殺菌効果が大きくかつコストが小さいものとして電解水を利用した技術は優れた技術と言える。
【０００５】
電解水を利用した歯科診療装置の給水管内の殺菌技術としては、例えば、特許３０２５１４６号公報に開示された技術が知られている。特許３０２５１４６号公報に開示された技術は、歯切削用のタービンハンドピースに給水する一般水道水に対して、イオン透過性隔膜で分割され、陰電極を挿入した陰極室と陽電極を挿入した陽極室との陰陽電極間に直流電圧を印加して電解槽の電解強度を可変する印加電圧可変手段を設けることにより、電解槽に流入した一般水道水を電解して陽極室から吐水する電解水を生成するものである。電解水はｐＨ２．８以下、酸化還元電位（ＯＲＰ）１０５０以上を示し、消毒、殺菌水として十分に機能するものが用いられる。特許３０２５１４６号公報の技術では電解水がｐＨ２．８以下であるので金属を腐食させるおそれがあるため長期の滞留はあまり好ましくないとされ、タービンハンドピースに給水系の流路変更を行う弁体を設け、弁体の少なくとも１流路に一般水道水を、他の流路に電解水を流し、所望によって一般水道水と電解水とを切り換える切り換え手段が付設している技術に関するものが開示されている。
【０００６】
また、例えば、特開平９−１７３３５９号公報に開示された技術は、（ａ）水に塩化物を溶解してなる電解液を電気分解せしめて、ｐＨが２．７以下で、酸化還元電位が１０００ｍＶ以上であり、且つ有効塩素が含有せしめられてなる強酸性イオン水を陽極側に生成せしめる一方、水酸基イオンに富んだ強アルカリ性イオン水を陰極側に生成せしめる強電解水生成手段を備え、強酸性イオン水を用いて給水路管内を殺菌する技術が開示されている。
【０００７】
また、他には、電解水ではなく、直接的に消毒液を組み込む技術もある。
例えば、特開２０００−５２００号公報に開示された技術は、給水源から供給された水を医療器具に導出するための給水管路に加え、次亜塩素酸ナトリウム等の薬剤を含む消毒液を貯留した消毒液タンクを備え、給水管路に切替制御弁と、消毒液タンクと給水枝管路部を接続した消毒液注入管路と、途中に開閉弁を設け消毒液タンクに接続された消毒液すすぎ管路とを設け、上記切替制御弁により、上記給水源の接続先を、上記給水枝管路部と、上記消毒液すすぎ管路とに切替接続する構造としている。
また、他には、治療が終了し、長時間治療を行わない場合、残留水を一旦排出してしまう技術もある。
【０００８】
【特許文献１】特許３０２５１４６号公報
【特許文献２】特開平９−１７３３５９号公報
【特許文献３】特開２０００−５２００号公報
【発明の開示】
【発明が解決しようとする課題】
【０００９】
しかし、上記した従来技術には以下の問題があった。
まず、特許３０２５１４６号公報および特開平９−１７３３５９号公報に開示された技術では、生成される電解水はｐＨ２．８以下またはｐＨ２．７以下と強酸性を示すものであるため、これらの電解水は高い殺菌性を発揮することが可能である。しかし、同公報中にも記載されているように酸性が強いため、金属部品を錆びさせたり樹脂部品を劣化させたりするおそれが強く、取り扱いが難しいものであった。そのためそれら公報中には、休日を挟むなど使用インターバルが長い場合には長期滞留を防止するため、一般水道水に切り替えるなどの工夫が必要であることが開示されている。しかしそれでは休日を挟むなど使用インターバルが長い場合に一般水道水により満たされた状態が続くため、給水管路内に増殖する菌の殺菌やバイオフィルム付着の防止を行うことができない。
【００１０】
次に、特開２０００−５２００号公報に開示された技術では、次亜塩素酸ナトリウム等の薬剤を含む消毒液を用いた殺菌方法が提案されており、確かに高い殺菌性を発揮することが可能であると言える。しかし、同公報中にも記載されているように次亜塩素酸は酸化力が強いため金属部品を錆びさせたり樹脂部品を劣化させたりするおそれが強く、取り扱いが難しいものであった。そのためそれら公報中には、休日を挟むなど使用インターバルが長い場合には長期滞留を防止するため、消毒液すすぎ管路に切り替えてすすぎ洗浄を行うなどの工夫が必要であることが開示されている。しかしそれでは休日を挟むなど使用インターバルが長い場合にはすすぎ水により満たされた状態が続くため、やはり給水管路内に増殖する菌の殺菌やバイオフィルム付着の防止を行うことができない。
また、これらの強酸性の電解水や、次亜塩素酸ナトリウムの薬剤溶液は人体に対しても悪影響を及ぼす危険性もあるため、溶液の使用に際しては十分に注意する必要があった。
【００１１】
本発明は上記の問題点を解消する新たな溶液の生成装置を歯科用診療装置に組み込むことで、歯科用診療装置内の給水配管系を殺菌することを目的とする。
【課題を解決するための手段】
【００１２】
上記課題を解決するために、本発明は以下の構成を備える。なお、以下に記載の構成要素は、可能な限り任意の組み合わせで採用可能である。
【００１３】
本発明の歯科用診療装置は、歯科用診療装置の給水管路中に設置され、歯科治療用の電解水を提供する歯科用電解水生成装置であって、複数の電極を備えた電極ユニットと、前記電極ユニットを収めた電解槽と、前記給水管路からの流水を受け入れる給水口と、生成した前記電解水を排出する吐出口と、前記電極ユニットの電極間に直流電圧を印加する電圧印加手段と、前記電解槽から吐出された前記電解水に含まれる気泡を除去する気液分離装置と、前記電解槽と前記気液分離装置の間に設けた気泡凝集通過フィルターを備え、前記気泡凝集通過フィルターは、前記電解槽で発生する微小気泡を捕捉して凝集し、前記微小気泡を大きく成長させつつ前記電解水とともに通過させるものであることを特徴とする歯科用電解水生成装置である。
本発明の歯科用診療装置は、電解水生成時に発生する微小気泡を除去する仕組みを備えている。電解水生成時に発生する微小気泡は陰極からは塩素、陽極からは水素であり、これらは絶縁体であるため多量に発生すると電解水生成の妨げともなる。また、インスツルメントの噴射圧力に影響を与えることがあり、また、口腔内に発射されることで患者にとっても塩素や水素が微量であれ飲み込むことは好ましくない。そこで、本発明の歯科用診療装置では、電解槽から吐出された電解水に含まれる気泡を除去する気液分離装置を設ける構成となっている。
また、微小気泡の除去性能を高めるため、前記電解槽と前記気液分離装置の間に気泡凝集通過フィルターを備え、前記電解槽で発生する気泡を前記気泡凝集通過フィルターにより捕捉して凝集し、前記気泡を大きく成長させてから電解水とともに前記気泡凝集通過フィルターを通過させ、前記気液分離装置に導入する構造として気泡を分離しやすくすることが好ましい。
微小気泡はなかなか気泡が破裂せずに長時間漂うおそれがあるが、気泡凝集通過フィルターを電解槽と気液分離装置の間に設けることで気泡凝集通過フィルターにより微小気泡を捉まえて気泡を大きく成長させてから気泡凝集通過フィルターを通過させ、気液分離装置に導くと、気液分離装置内で大きい気泡は破裂して気体が液中から分離されやすくなる。
【００１４】
このように比較的に弱酸性または中性の電解水を用いつつ残留塩素濃度を１．０〜５．０ｍｇ／Ｌ程度確保せしめることにより、給水管路内の殺菌を行うことができる。なお、このｐＨ範囲および塩素残留濃度であれば、休日を挟んで電解水がインスツルメント内に長期滞留する場合であっても、装置内の金属を錆びさせたり樹脂部材を劣化させたりするおそれがない。
【００１５】
電解水については、前記電圧印加手段による前記電極ユニットの電極間への通電により、前記電解槽内の水をｐＨが６．５〜８．０かつ残留塩素濃度が１．０〜５．０ｍｇ／Ｌの電解水へと変性させて前記給水管路内に通水することで前記給水管路内の殺菌を行うものであることが好ましい。このｐＨ範囲および塩素残留濃度であれば、休日を挟んで電解水がインスツルメント内に長期滞留する場合であっても、装置内の金属を錆びさせたり樹脂部材を劣化させたりするおそれがない。
【００１６】
なお、気液分離装置に配置については、気液分離装置を電解槽よりも高い位置に設置し、電解槽で発生した気泡が気液分離装置に導かれやすくすることが好ましい。気液分離装置は装置内部の空気だまりに対して気泡が合わさる形で気体が回収されるため、気液分離装置が電解槽よりも高い位置に設置すると気泡が気液分離装置に導かれやすくなる。
【００１７】
なお、電気分解により発生する微細気泡の直径は数10μm〜200μmであることから、上記構成において、この大きさの微細気泡を気泡凝集通過フィルターにより捉まえるためには、気泡凝集通過フィルター孔径が0.01〜100μm以下、望ましくは0.01〜10μm以下のものが好ましい。
【００１８】
ここで、気泡凝集通過フィルターにより微小気泡を捉まえやすくするために、前記給水管路の経路において、前記電解水の流方向が天方向から地方向へ流れるように前記給水管路が屈曲した箇所を設け、当該箇所に前記気泡凝集通過フィルターを設置することが好ましい。このように電解水の流方向が天方向から地方向へ流れる箇所において気泡凝集通過フィルターを通過させることにより電解水の流れに沿って移動する微小気泡が浮力により気泡凝集通過フィルター内に滞りやすくなり、気泡凝集通過フィルター内で大きな気泡に成長しやすくなる。
【００１９】
なお、給水管路の経路および気泡凝集通過フィルターの配置として、電解水の流方向が地方向から天方向へ流れるように給水管路が屈曲した箇所を設けて当該箇所に前記気泡凝集通過フィルターを設置することを除外するものではない。このような配置であっても気泡凝集通過フィルターを設けない場合に比べて微小気泡が大きく成長する効果は得られるからである。
【００２０】
ここで、気液分離装置は気泡凝集通過フィルターよりも高い位置に設置することが好ましい。気液分離装置が気泡凝集通過フィルターより高い位置にあれば気泡凝集通過フィルターにより凝集されて大きく成長した気泡が気泡凝集通過フィルターを抜け出た後、気液分離装置に導かれやすくなるからである。
【００２１】
次に、上記の気泡凝集通過フィルター配置の工夫に代えて、電解槽から気液分離装置までの給水管路内に電解水の流れを妨げる構造物を設け、気泡が凝集しやすい構造とする工夫も可能である。このように給水管路内に電解水の流れを妨げるように設けた構造物は一時的に微小空気が滞留し、気泡凝集通過フィルターのように微小空気が凝集して成長する効果が得られる場合がある。
【００２２】
次に、微小空気の給水管路内への流入自体を小さく抑える工夫として、前記電解槽内に給水された水はおおむね水平方向に前記電解槽内を通過して吐出され、前記電解槽の吐出口は前記電解槽内部空間の上端よりも低い位置に配置するという工夫がある。このように電解槽の吐出口を内部空間の上端よりも低い位置に配置すれば微小空気は浮力で上昇するため電解槽の上部に集まり、微小空気は電解槽の吐出口から排出されにくくなる。
【００２３】
次に、上記構成における電源ユニットに関する工夫について述べる。
電源ユニット内には電極ユニットが設けられているが、電極ユニットは、複数の電極が略一定間隔で並べて構成されており、電極間を溶液が通過するように配置されたものとなっている。
電源ユニットを小型化するため、また生成される電解水の残留塩素濃度を向上させるため、電極ユニットの内壁面と電解槽との間の余剰スペースを少なくすることが好ましい。
【発明の効果】
【００２４】
本発明の歯科用診療装置および歯科用診療装置の給水管路内を殺菌する方法によれば、比較的に弱酸性または中性の電解水を用いつつ残留塩素濃度を１．０〜５．０ｍｇ／Ｌ程度確保せしめることにより、給水管路内の殺菌を行うことができる。なお、このｐＨ範囲および塩素残留濃度であれば、休日を挟んで電解水がインスツルメント内に長期滞留する場合であっても、装置内の金属を錆びさせたり樹脂部材を劣化させたりするおそれがない。本発明の歯科用診療装置では、電解槽と給水分岐部との間に気液分離装置を設けることにより、電解水生成時に発生する微小気泡を効率的に除去することができる。
【発明を実施するための最良の形態】
【００２５】
以下、図面を参照しつつ、本発明の電解水生成装置、歯科用診療装置、歯科用診療装置の給水管路内を殺菌する方法の実施例を説明する。ただし、本発明の範囲は以下の実施例に示したものに限定されるものではないことは言うまでもない。
【実施例１】
【００２６】
実施例１にかかる本発明の歯科用診療装置１００の構成例について説明する。以下、本発明の最良の形態について図面に基づき説明する。
図１は、本発明の歯科用診療装置１００の構成を簡単に示す図である。
図１に示すように、実施例１にかかる本発明の歯科用診療装置１００は、診療台本体１０、給水口１１、インスツルメント１２、うがい用機器１３、電解水生成装置２０、電圧印加装置３０などを備えた構成となっている。
歯科用診療装置１００は、給水源（図示せず）に接続され、給水管路Ｗを通じて水が供給され、水を必要とする各部分に給水される。ここでは、後述する歯科用診療装置１００の電解槽２１への給水側はＷ１、吐出側はＷ２で表わすこととする。
【００２７】
各部を説明する。
診療台本体１０は、特に限定されず、歯科用診療台本体であればいずれでも適用することができる。この例では電動式で背もたれやフットレストの角度が変わり、患者の座位、仰臥位のいずれの姿勢にも対応するようになっている。
給水口１１は、給水源からの給水管路Ｗ１に接続される口であり、給水口１１から給水源の水が供給される。なお、給水源は一般の水道源でも良い。
インスツルメント１２は、特に限定されず、歯科用診療に用いられる各種歯科治療器具である。たとえば、歯牙切削用のインスツルメントで治療箇所を冷やすため水を噴射するものとする。
うがい用機器１３は、患者が折に触れて口腔内をうがいするための水をコップなどに供給する給水管と、患者がうがい後の水を捨てるボウルなどを備えている。
【００２８】
電解水生成装置２０は、給水口１１を介して給水管路Ｗ１から取り入れた水を電解水へと変性させたのち給水管路Ｗ２へ通水する装置である。
電解水生成装置２０は、後述する図４および図５に示すように、電解槽２１、電圧印加装置３０に加え、気泡凝集通過フィルター４０、気液分離装置５０を備えた構成となっている。
【００２９】
まず、電解槽２１の内部構成例を説明する。
図２は電解槽２１の内部構成例を示した図である。図２に示すように、電解水生成装置２０は、電解槽２１、給水口２２、吐出口２３、電極２４、電極ユニット２５、通電用端子２６を備えた構造となっている。
【００３０】
電解槽２１は、電極ユニット２５を内蔵する容器であり、内部には給水管路Ｗ１から導入された水で満たされ、後述するように生成された電解水が給水管路Ｗ２から吐出される。
電解水は電解槽２１内にある水を電気分解することで生成される。歯科用診療装置１００内部に納められた電解槽２１は図１に示すように歯科用診療装置給水源の下流側に取り付けられ、この電解槽２１内で生成された電解水が給水分岐部を経て、各インスツルメント１２やうがい用機器１３など、歯科用診療装置１００において水を必要とする全ての部分へ供給される。
【００３１】
給水口２２は、給水管路Ｗ１から電解槽２１に水を取り入れる口である。図２の例では筐体の下方に設けられている。
【００３２】
吐出口２３は、電解槽２１から生成した電解水を給水管路Ｗ２へ通水する口である。図２の例では筐体の上方に設けられている。
【００３３】
電極２４は、導電性の良い金属板であれば良く、例えば、銅電極板，銀合金電極板、銅銀合金電極板などがある。他の金属板であっても電極として機能するものであれば良い。
【００３４】
電極ユニット２５は、電極２４を複数枚集積したものであり、各電極２４が略一定間隔を持って対向し合うように並べて配置される。電極２４間を溶液が通過するように配置されている。図２の例では便宜上、電極２４を３枚含んだ構成として描いている。
電極ユニット２５は電解槽２１の中に収納されているが、後述の実験で触れるように、電源ユニット２５と電解槽２１との間の余剰スペースを少なくし、残留塩素濃度を向上させる工夫を行うことが好ましい。
【００３５】
通電用端子２６は、各々の電極２４に対して電位を与える端子である。通電用端子２６は電圧印加装置３０に接続され、所定の電位が各々の電極２４に対して与えられるように電気的に配線されている。なお、後述する電圧印加装置３０との接続が簡単になるように配線しておくことが好ましい。
【００３６】
次に、電解水生成装置２０において電解水を生成する原理について説明する。
図３は、本発明の電解水生成装置２０における電気分解における化学反応および電解水の変性を簡単に説明する図である。
通電用端子２６に先の端子を通じて直流電圧を電極間に印加した場合、電解槽内の水を電気分解して殺菌性を持った電解水に変性させる。
【００３７】
原水に用いる水には、一般水道水には塩素イオン(Cl−)が必ず含まれており、電極２４間に直流電圧を印加すると、塩素イオン(Cl−)は陽極側の電極２４へ引き寄せられる。電極２４表面では図４に示す化学変化が行われ、塩素ガス(Cl2)が発生することになるが、Cl2はすぐに周囲の水と反応し、殺菌性を有した次亜塩素酸(HClO)や次亜塩素酸イオン(ClO−)へと変化する。
いわゆる残留塩素と呼ばれるこれらのHClOやClO−を増やす上記の化学変化を行うことで、水自体の殺菌性を高めた電解水へ変性を行っている。
【００３８】
本発明の電解水生成装置２０において、上記のように生成される電解水の性質について述べておく。
まず、残留塩素濃度とｐＨについてまとめておく。
電圧印加装置３０による電極ユニット２５の電極２４間への通電により、電解槽２１内の水はｐＨが６．５〜８．０かつ残留塩素濃度が１．０〜５．０ｍｇ／Ｌの電解水へと変性する。後述するように、このｐＨが６．５〜８．０、残留塩素濃度が１．０〜５．０ｍｇ／Ｌの電解水を給水管路Ｗ２内に通水することで給水管路Ｗ内の殺菌を行うことができる。また、この程度のｐＨであれば給水管路内の金属部品を錆びさせたり樹脂部品を劣化させたりする不具合は発生しない。
なお、本発明の電解水生成装置２０および歯科用診療装置１００を用いて生成した電解水の性質などの測定値に関しては後述する。
【００３９】
次に、電解水生成装置２０の内部構成について述べる。
図４および図５は、本発明の歯科用診療装置１００の構成における電解水生成装置２０を取り出してその内部構造を簡単に示した図である。なお、図４および図５では各構成要素は簡単に描いており、また、電解水生成装置２０内に設けられた給水管路Ｗ１、給水管路Ｗ２のなどについては一部図示を省略し、水の流れを示すにとどめている。
図４および図５に示すように、電解水生成装置２０は、電解槽２１、電圧印加装置３０に加え、気泡凝集通過フィルター４０、気液分離装置５０を備えた構成となっている。
【００４０】
図４は給水管路Ｗ２の流れが天方向から地方向となっている箇所において気泡凝集通過フィルター４０を設けた構成例を示している。
一方、図５は給水管路Ｗ２の流れが地方向から天方向となっている箇所において気泡凝集通過フィルター４０を設けた構成例を示している。
【００４１】
まず、電圧印加装置３０を説明する。
電圧印加装置３０は、各々の電極２４に設けられている通電用端子２６に対して所定の電位を与える電気ユニットである。なお、電圧印加装置３０は外部電源（図示しない）に接続され、電力供給がなされる。後述するように電気分解に用いる電圧は直流電圧であるため、外部電源として商用電源を用いる場合、ＡＣ／ＤＣコンバーターが必要である。
【００４２】
次に、気液分離装置５０について説明する。
本発明の歯科用診療装置１００では、電解水生成装置２０内で電解水を生成する際に気泡が発生するため、気泡を除去する構成要素を設けておく工夫を施している。一般水道水などの原水中にはCl−以外にも水素イオン(H＋)や水酸化イオン(OH−)が含まれている。ここで電極２４間に直流電圧を印加すると、これらの物質も変化を受け、それぞれ水素ガス(H2)や酸素ガス(O2)が生成される。
【００４３】
電気分解により発生する気泡は電極間に残っていると、残留塩素を増やすための電気分解反応を阻害することとなるので、電極２４間にて発生した微細な気泡はなるべく早く電極２４間から出したほうがよい。たとえば電極２４をおおむね鉛直方向に吊るして各々が対向するように並べ、その電極２４間を水で満たし、電解槽２１の給水口２２を電極ユニット２５の下側に、電解槽２１の吐出口２３を電極ユニット２５の上側にして、電極２４間にて発生した気泡を気泡自体の浮力も利用しつつ水流で押し出すようにする。
【００４４】
しかし、本発明では、生成する電解水は後述するように弱酸性または中性程度であり、印加電圧は一般の電気分解に用いる電圧よりも比較的低いため、電極２４表面で発生する水素ガスや酸素ガスは微小気泡である。微小気泡は浮力が小さいために上方に排出されにくく、液中に長期間に漂いやすい。
【００４５】
従来技術の電解水生成装置で微小気泡が発生してしまうと、気液分離装置を備えていないため、気液分離が不十分で気泡が除去しきれずに気泡は水流に乗って流れてゆき、水流の弱い管路中の屈曲部分などに気泡が溜まり給水管路Ｗ２中にガスだまりを作ってしまうおそれがあった。ガスは液体よりも圧縮されやすいため、ガスは給水配管中を流れている状態では水道圧により圧縮されて電解水中に微小気泡として存在しているが、インスツルメントやうがい用機器などの末端に到達すると、圧が開放されるためガスが膨張してしまうため不具合の原因となるおそれがあった。特に、生成される電解水の殺菌性を高めるために、電解時の電流値を大きくすれば電気分解により発生する気泡の量も多くなってしまうため、微小気泡による上記問題が顕在化しやすい。
【００４６】
そこで、本発明では、この発生した微小気泡を給水配管中から除去するため気液分離に関する工夫を行っている。本発明の電解水生成装置２０および歯科用診療装置１００において、気液分離装置５０を電解槽２１の下流側に設ける構造とし、さらに給水管路を屈曲させて屈曲箇所に気泡凝集通過フィルター４０を設ける工夫を行っている。
【００４７】
まず、気液分離装置５０の構造について説明する。
図６は、気液分離装置５０の構成例を示す図である。図６に示す構成例では、気液分離装置５０の内部にはガス排出口５３が設けられており、通常はパッキン５１がバネ等で押し当てられて閉じられている。この気液分離装置５０内部にガスが溜まってくると、気液分離装置５０内の水位が下がり、それに伴い内部のフロート５２も下がる。その際、フロート５２はガス排出口５３に押し付けられているパッキン５１を離してガス排出口５３を開放、気液分離装置５０内部に溜まったガスを放出する。このような構造をとっている関係上、水中のガスを除去するためには水中のガスを気液分離装置内に溜めることが重要となる。
【００４８】
ここで、気液分離装置５０において効率よく気液分離を行うためには、電解水中の気泡が効率よく気液分離装置５０内に導入される必要がある。そこで、図４および図５の構成例では、気液分離装置５０が電解槽２１よりも高い位置に設置し、電解槽２１で発生した気泡が気液分離装置５０に導かれやすい構成としている。また、気液分離装置５０が気泡凝集通過フィルター４０の排出口よりも高い位置に設置し、気泡凝集通過フィルター４０により凝集されて大きく成長した気泡が気液分離装置５０に導かれやすい構成としている。
【００４９】
次に、気泡凝集通過フィルター４０の働きについて述べる。
この構成例では図４および図５に示すように、電解槽２１と気液分離装置５０の間に気泡凝集通過フィルター４０を備えた構成となっている。
上記のように、電気分解により発生する水素ガスや酸素ガスの微小気泡は水流に乗って流れていくこととなるが、小さいまま浮遊を続けやすく、末端の歯科用診療装置のインスツルメントなどの機器まで到達すると、機器内部において不具合を起こしてしまう。それを避けるため、電解槽以降の下流側において気液分離装置５０を設け、水中の気泡を除去している。しかし、微小気泡はその体積が小さいため浮力が少なく、そのため大部分が気液分離装置５０に到達することができずに素通りして、水流とともに歯科用診療装置１００の下流側へ流れていってしまう。また気液分離装置５０に到達したとしても、気液分離装置５０の中でも気泡がなかなか破裂せずに微小気泡のまま漂い続け、気液分離に時間がかかるおそれがある。つまり、単に下流側へ気液分離装置５０を取り付けるだけでは不十分である。
【００５０】
このように、一般に普及している気液分離装置５０により電気分解で発生した気泡が除去しきれない原因は、気泡の大きさが微細であり浮力が小さいためであった。この課題を解消するため、本発明では、電気分解によって発生した微細な気泡を集めて凝集・成長させ、大きな気泡とすることにより、気液分離装置５０による気泡除去を容易とせしめた。
【００５１】
気泡凝集通過フィルター４０を活用した微小気泡の成長機能について述べる。
本発明の電解水生成装置２０および歯科用診療装置１００では、気泡凝集通過フィルター４０を用いることにより微小気泡を一時的に気泡凝集通過フィルター４０内の孔に捕捉し、その孔に到達する他の微小気泡と隣接させ、気泡同士を合体させることにより成長させてゆく。図４および図５に示すように、微小気泡は自らの浮力と給水管路内の水の流れによって徐々に気泡凝集通過フィルター４０を通過してゆくが、気泡凝集通過フィルター４０内の孔から孔へと移動してゆくうち他の気泡と合わさることとなり、気泡凝集通過フィルター４０を抜け出る頃には気液分離装置５０により効率的に気液分離できる程度の大きさの気泡に成長するという効果が得られる。つまり、電解槽の下流側に気泡凝集通過フィルター４０を設置することにより、この気泡凝集通過フィルター４０内部を電解槽２１内部で生成された電解水が通過する際、電気分解により発生した微細な気泡は気泡凝集通過フィルターの細かな目により流れを阻害され、乱れた動きをとることとなり、気泡同士が接触することでより大きな気泡になる。
【００５２】
このように、電解槽２１で発生する気泡を気泡凝集通過フィルター４０により捕捉して凝集し、気泡を大きく成長させてから気泡凝集通過フィルター４０を通過させ、気液分離装置５０に導入する構造として気泡を分離しやすくした。
なお、気泡凝集通過フィルター４０のフィルター孔径としてはたとえば１０μｍ以下のものが好ましい。フィルター孔径が大きいと後述するように、微細なスケール片を捕捉したり微小気泡を捉えて成長させたりすることができなくなるため、目の細かい気泡凝集通過フィルター４０を使用することが好ましい。
【００５３】
次に、気泡凝集通過フィルター４０の配置について述べる。
この構成例では、気泡凝集通過フィルター４０は、電解槽２１から気液分離装置５０の間に設けられている。また、気液分離装置５０は内部にガスを貯めることで水中に含まれる気泡の除去を行っている関係上、気液分離装置５０は他の機器や歯科用診療装置内部の給水系配管よりも高い位置にあることが望ましい。
【００５４】
ここで、図４の例では、給水管路Ｗ２の経路において、電解水の流方向が天方向から地方向へ流れるように給水管路が屈曲した箇所を設けられており、この屈曲し、流方向が天方向から地方向へ向かう箇所に気泡凝集通過フィルター４０を設置する構成となっている。図４の構成例では微小気泡は、微小気泡自身の浮力により下方への移動に対する抵抗を持っているため、電解水の流れに乗ってゆっくりと気泡凝集通過フィルター４０内を移動することとなる。その過程で前後左右にある他の微小気泡と合体を繰り返して次第に大きな気泡へと成長してゆくこととなる。
つまり、図４に示したように、電解水が通過する気泡凝集通過フィルター内部や給水管路において、浮力と対抗する“天→地”方向へ流れるようにすれば、微細な気泡の凝集効果はより高まる。
【００５５】
一方、図５の例では、給水管路Ｗ２の経路において、電解水の流方向が地方向から天方向へ流れるように給水管路が屈曲した箇所を設けられており、この屈曲し、流方向が地方向から天方向へ向かう箇所に気泡凝集通過フィルター４０を設置する構成となっている。図５の構成例では微小気泡は、微小気泡自身の浮力により上方へ昇っていきやすく、また、電解水の流れに乗ってゆっくりと気泡凝集通過フィルター４０内を移動することとなる。その過程で前後左右にある他の微小気泡と合体を繰り返して次第に大きな気泡へと成長してゆくこととなる。
【００５６】
これらの凝集効果により、微細な気泡を大きな気泡に成長させることができれば、気泡凝集通過フィルターの下流側に設けた気液分離装置５０で電気分解により発生した気泡を除去することが可能となる。
【００５７】
次に、気泡凝集通過フィルター４０を用いる他の効果として、給水管路内の硬質分（スケール）の剥離片の捕捉機能が挙げられる。原水中にはカルシウムイオン(Ca2＋)やマグネシウムイオン(Mg3＋)などといった硬質成分が含まれている。これらの硬質成分は電気分解を行うと、図３Ａに示すような変性を受け、電極２４表面に付着していく。電気分解の類型時間が増えるほど、硬質分の電極への付着量は増えていき、残留塩素を増やすための電気分解反応を阻害することとなるため、電極２４に付着した硬質分は除去する必要がある。その手段として、図３Ｂに示すように電極２４に印加している極性を反転させ、付着した硬質分を除去する方法が一般的に用いられている。ただし、電極２４に付着している硬質分の量が多い時に極性切り替えを行った場合、大きな塊として電極２４から硬質分が剥がれる恐れがある。この硬質分の塊が歯科用診療装置の末端の各インスツルメント１２まで到達すると、精密機器である各インスツルメント１２内部にて不具合を起こしてしまう。
そこで、電極２４から剥がれ落ちた硬質分の除去のため、気泡凝集通過フィルター４０を電解槽２１の下流側に設けておけばスケールの剥離片を気泡凝集通過フィルター４０にて捕捉することができる。
【００５８】
気泡凝集通過フィルター４０は硬質分除去を目的とするほか、前記のように気泡凝縮の効果も求める関係上、気泡凝集通過フィルター４０はなるべく目が細かいほうが適している。たとえば気泡凝集通過フィルター４０のフィルター孔径としては０．０１〜１００μｍ程度のものとすれば、管路内で発生する微細なスケール片を捕捉したり微小気泡を捉えて成長させたりすることができる。
なお、軟水器等によりあらかじめ硬質分を除去した水を電解槽２１へ供給することにより、電極２４へ硬質分が付着しなくすることも効果的である。
【００５９】
次に、生成された電解水の特性を測定した結果を示す。
原水として水道水を用い、電解水生成装置２０を用いて電解水を生成して一定流速で通水した場合における電解水の特性を調べた。
図７に、電気分解する時間の長さと電気分解に供する電流量を変化させ、生成される電解水の物理的性質を調べた結果をまとめた。電気分解する時間の長さの変化は、電解水生成装置２０内部の流量の変化で置き換えることができる。つまり、図７に示すように、装置内の流速の変化、電圧印加装置３０から与える電流量を変化させた場合における、電解水のｐＨ、導電率、溶存酸素量、残留塩素濃度の測定結果をまとめた。
なお、電解装置を１度だけ通して電解した時に生成される電解水について測定を行い、その結果を元に電極の性能比較を行った。なお、実験に用いた電極は小型の新規のものを使用し、枚数や加える電流を変化させた。また、電極ユニットと電解槽との空きスペースはなるべく塩ビ材で埋めることにより小さくした。
【００６０】
図７に示すように、ｐＨに関しては、原水として水道水そのままを使用しているため、ｐＨはもとの原水とほとんど変わらないｐＨ７〜８付近の結果であった。また、残留塩素濃度に関しても実験に用いた電流値、電解水流量の条件範囲では０．７〜２．０ｍｇ／Ｌの範囲であった。つまり、電解水生成装置２０に用いる電流値、電解水流量の条件範囲を調整すれば、ｐＨが６．５〜８．０かつ残留塩素濃度が１．０〜５．０ｍｇ／Ｌの電解水へと変性させることが確認できた。
【００６１】
以下に、実験結果を検討した。
電気分解する時間の長さの変化に関しては、電気分解を受ける時間が長いほど、つまり、電解槽２１を通過する流速が遅い方が発生する残留塩素の量は多くなる関係にあることが分かる。
また、電極ユニットに通電する電流値が高いほど、残留塩素濃度は高くなることが分かる。図８は縦軸に残留塩素濃度、横軸に電流量をとったグラフである。明らかに電極ユニットに通電する電流値が高いほど、残留塩素濃度は高くなっている。
【００６２】
次に、溶存酸素量に関しては、図７に示すように、印加する電流値が上がると溶存酸素量が上がっている、すなわち電気分解により発生した酸素が増えていることが確認できる。水を電気分解すると生じる気泡の発生量は電極２４に印加している電流値に比例することが分かる。
【００６３】
次に、電解槽２１と電極ユニット２５の間の空間を大きく取った場合とほとんど無くした場合で生成される電解水の残留塩素濃度を比較した。図９は電解槽２１と電極ユニット２５の間の空間を大きく取った場合とほとんど無くした場合で生成される電解水の残留塩素濃度比較結果である。図９に示すように、電解槽２１と電極ユニット２５の間の空間を少なくした方が、電気分解により発生する残留塩素濃度が高くなっていることがわかる。
以上のことから、なるべく高い殺菌性を保有する電解水を生成するためには、電気分解時に印加する電流値を高くし、電解槽２１内の余剰スペースを少なくして原水が電極２４付近へ到達しやすくするとよい。
【００６４】
残留塩素も酸化性物質であるため、濃度が高まれば金属を錆びさせたり、樹脂製品を劣化させたりしてしまうが、本発明の電解水生成装置２０で生成される電解水の残留塩素濃度は、１．０〜５．０ｍｇ／Ｌ程度であり、金属を錆びさせたり、樹脂を劣化させることはない。
【００６５】
図１０に、従来から用いられている薬剤や電解水と本発明により生成される電解水の対比表を示した。従来から用いられている薬剤や電解水は比較的に高い残留塩素濃度であるため殺菌性は高いが、金属部品を錆びさせたり樹脂部品の劣化を起こさせたりするおそれがあった。一方、本発明における電解水は、残留塩素濃度は１．０〜５．０ｍｇ／Ｌと低い濃度であるので、金属部品を錆びさせたり樹脂部品の劣化を起こさせたりするおそれはない。
【００６６】
また、ｐＨ値が低く酸性が強い溶液であれば酸化性が強くなり、金属部品を錆びさせたり樹脂部品の劣化を起こさせてしまうおそれがあるが、本発明における電解水のｐＨ値は原水と同じ程度の６．５〜８．０と中性領域であり、金属部品を錆びさせたり樹脂部品の劣化を起こさせてしまうことはない。
【実施例２】
【００６７】
実施例２として、気泡凝集通過フィルターとは異なる構造物により微小気泡を処理する工夫を施した構成例について述べる。
図１１は、実施例２にかかる本発明の電解水生成装置２０および歯科用診療装置１００の構成例を簡単に示したものである。
図１１に示すように、実施例２にかかる本発明の電解水生成装置２０では気泡凝集通過フィルター４０に代え、電解槽２１から気液分離装置５０までの給水管路Ｗ２内に電解水の流れを妨げる構造物を設け、気泡が凝集しやすい構造とした。給水管路Ｗ２中に電解水の流れを妨げて微小気泡が滞留して集まり、隣接し合う時間が長くなるように工夫することにより気泡の凝集効果が得られる。
【実施例３】
【００６８】
実施例３として、気液分離装置を用いずに微小気泡を処理する工夫を施した構成例について述べる。
図１２は、実施例３にかかる本発明の電解水生成装置２０および歯科用診療装置１００の構成例を簡単に示したものである。
図１２に示すように、実施例３にかかる本発明の電解水生成装置２０では電解槽２１は密閉されていないため、給水口２２から流入する水は電解槽２１に入る時にそれまでかかっていた水圧が無くなった状態で流入される。
流入された水は電解槽２１内で電気分解が行われるが、電気分解により発生した微細な気泡はわずかに有する浮力に従って水面へと上がっていく。電解槽２１は密閉されていないため、水面から出た微細な気泡は自然に抜け出ていくため、気液分離装置５０を設ける必要はない。
なお生成された電解水は水圧のかかっていない状態であるため、実施例１, ２のように水圧を利用して歯科用診療装置の給水管路Ｗ２へと送り出すことはできない。そのため吐出口２３と給水管路Ｗ２の間にポンプなどの送水装置６０を設けた。
また電気分解により発生した微細な気泡は浮力により自然に水中から抜け出るため、吐出口２３はなるべく電解槽２１の下部に設けることが望ましい。
【００６９】
以上、本発明の歯科用診療装置および歯科用診療装置用の歯科用診療装置の構成例における好ましい実施例を図示して説明してきたが、本発明の技術的範囲を逸脱することなく種々の変更が可能であることは理解されるであろう。
【産業上の利用可能性】
【００７０】
本発明の歯科用診療装置は、歯科用診療装置を用いる歯科用診療装置として広く適用することができる。
【図面の簡単な説明】
【００７１】
【図１】本発明の歯科用診療装置１００の構成を簡単に示す図である。
【図２】電解槽２１の内部構成例を示した図である。
【図３】本発明の電解水生成装置２０内における電気分解における化学反応および電解水の変性を簡単に説明する図である。
【図４】本発明の歯科用診療装置１００の構成における電解水生成装置２０を取り出してその内部構造を簡単に示した図である（その１）。
【図５】本発明の歯科用診療装置１００の構成における電解水生成装置２０を取り出してその内部構造を簡単に示した図である（その２）。
【図６】気液分離装置５０の構成例を示す図である。
【図７】生成された電解水の各特性値の一例を示す表である。
【図８】縦軸に残留塩素濃度、横軸に電流量をとったグラフである。
【図９】電解槽２１と電極ユニット２５の間の空間を大きく取った場合とほとんど無くした場合で生成される電解水の残留塩素濃度比較結果を示す図である。
【図１０】従来から用いられてきた薬剤や電解水との対比表である。
【図１１】実施例２にかかる本発明の電解水生成装置２０および歯科用診療装置１００の構成例を簡単に示した図である。
【図１２】実施例３にかかる本発明の電解水生成装置２０および歯科用診療装置１００の構成例を簡単に示した図である。
【符号の説明】
【００７２】
１０  診療台本体
１１  給水口
１２  インスツルメント
１３  うがい用機器
２０  電解水生成装置
２１  電解槽
２２  給水口
２３  吐出口
２４  電極
２５  電極ユニット
２６  通電用端子
２７  遮へい構造物
２８  硬質分
３０  電圧印加装置
４０  気泡凝集通過フィルター
５０  気液分離装置
５１  パッキン
５２  フロート
５３  ガス放出口
６０  送水装置
１００  歯科用診療装置